(57)【要約】【課題】天井構造に天井標識を取り付ける支持装置を提供すること。【解決手段】天井構造に天井標識を取り付ける支持装置は、天井要素を取り付ける基部と、天井標識を取り付けるアダプタ部とを含み、このアダプタ部は、天井要素を取り除けるように、天井標識と一緒に基部から折り畳み可能である。【選択図】図１
2008513271.tif 000002
【特許請求の範囲】
【請求項１】
第１部材を取り付ける基部と、前記基部に接続され第２部材を取り付けるアダプタ部とを有する支持装置であって、
前記アダプタ部は、前記第２部材と一緒に前記基部から折り畳み可能であり、前記アダプタ部は、一方の端部領域でヒンジ要素によって、他方の端部領域で固定要素によって、前記基部に保持される支持装置。
【請求項２】
前記アダプタ部は、前記基部から折り畳まれた状態において、前記ヒンジ要素によってのみ前記基部に保持される、請求項１に記載の支持装置。
【請求項３】
前記第２部材を受ける受入要素は、前記アダプタ部の一方および／または他方の端部領域において、前記基部から基本的に垂直に突出する、請求項１または２に記載の支持装置。
【請求項４】
電気端子要素は、前記アダプタ部に取り付けられた前記第２部材を電源に電気的に接続するために、前記アダプタ部の前記端部領域の間で使用される、請求項１から３のいずれかに記載の支持装置。
【請求項５】
前記電気端子要素は、前記基部に面する側で前記電源に接続されたケーブルに取り付けられており、前記基部に面しない側で前記第２部材に電気的に接続可能である、請求項４に記載の支持装置。
【請求項６】
前記第１部材は、少なくとも１つの天井要素であり、前記第２部材は情報標識である、請求項１から４のいずれかに記載の支持装置。
【請求項７】
請求項１から６のいずれかに記載の支持装置の航空機における使用。
【発明の詳細な説明】
【技術分野】
【０００１】
本発明は、支持装置に関し、特に、航空機内の天井要素に標識を取り付ける支持装置に関する。
【背景技術】
【０００２】
一般に航空機内の天井は複数の天井要素を備え、これらは天井ホルダーに取り付けられている。この場合、天井要素間に天井隙間が生じ、通常ここに出口標識などの天井標識がクランプや類似物を用いて取り付けられる。
【０００３】
しかしながら、整備のために、定期的にこれらの天井要素を取り除く必要がある。このため、標識を外さなければならない。この場合、標識と直接接触する面が天井要素をおろして取り除く際に邪魔になる。
【発明の開示】
【発明が解決しようとする課題】
【０００４】
本発明の目的は、天井標識を完全に取り除くことなく天井要素を容易に外すことができるよう、天井から分離できるホルダーを提供することにある。
【０００５】
この目的の効果は、請求項１から推測することができる。本発明の好適な実施形態は、従属請求項により具体的に定められる。
【課題を解決するための手段】
【０００６】
本発明にかかる標識を天井に取り付ける支持装置は、好ましくは、天井要素が取り付けられる基部と、天井標識を支持するために基部に折り畳み可能に取り付けられるアダプタ部とを含む。
【０００７】
本発明の好適な例示的実施形態よれば、アダプタ部はヒンジ要素を用いて基部から折り畳まれ、言い換えると折り畳み状態（「ａｂｋｌａｐｐｅｎ」）になり、コッターピン、ねじ、そのほかなどの固定要素によりアダプタ部を基部に折り畳まれていない状態、言い換えると折り畳み前の状態（「ａｎｋｌａｐｐｅｎ」）で固定する。
【０００８】
折り畳み状態において、アダプタ部はヒンジ要素によってのみ基部に保持される。
【０００９】
本発明の実施形態によれば、アダプタ部に取り付けられた天井標識を電源に電気的に接続するために、電気端子要素はアダプタ部の端部の間で使用される。
【００１０】
本発明の別の実施形態によれば、端子要素は、基部に面する側で電源に接続されたケーブルに取り付けられており、基部に面しない側では天井標識に電気的に取り付け可能である。
【００１１】
本発明にかかるホルダーは、例えば、同時に４つの天井または天井要素を受ける。本発明によれば、この支持装置に取り付けられた天井標識が天井から分離されると、天井は電気部材および／または特別なパーツを示すことがない。整備のために、ホルダーが折り畳まれ天井要素が取付状態から引き出されるとき、ホルダーは簡単に天井標識と一緒に折り畳まれるので、天井要素を簡単に天井にはめ込むことが可能となる。したがって、ホルダーおよび電気端子を完全に取り外すことは必要ない。
【発明を実施するための最良の形態】
【００１２】
以下、好適な実施形態を参照して本発明を詳細に説明する。図面中、同一の参照番号は同一または対応する要素を指示するものである。
【００１３】
図１は、好適な例示的実施形態にかかるホルダー１を下方から見た斜視図である。ホルダー１は基部２を有し、ここに、例えばリベット、ねじ、そのほかを用いて基部２をキャリア構造（不図示）に取り付けるために、取付要素３が使用される。
【００１４】
好適な例示的実施形態によれば、ホルダー要素４ａ〜４ｄは、それぞれ１つの天井要素（不図示）を受けて支え、図１に示す基部２の底部に位置する。
【００１５】
アダプタ部５は、図１に示す基部２の底部から基本的に垂直に下向きに突出する。このアダプタ部５は、第１端部６と第２端部７とを有する。
【００１６】
図１に示すように、アダプタ部５は、その第１端部６において基部２の底部にヒンジ８を介して取り付けられる。この取り付けは、リベット打ち、溶着、はんだ付けなどによって行われる。
【００１７】
アダプタ部５は、ヒンジ８を用いることにより、アダプタ部５がその第１端部６のみで基部２にヒンジ８を介して支えられるように、折り畳むこともできる。図１はアダプタ部５が基部２に（基部２の底部に）折り畳まれていない状態を示している。
【００１８】
図１に示すように、アダプタ部５は、好適な例示的実施形態にかかる基部２の長手方向に基本的に伸びる。
【００１９】
天井標識を受けて支える２つの受入要素９ａ、９ｂは、例えば出口標識を保持するが、アダプタ部５の２つの端部６、７で基本的に垂直に下向きに突出する。図１では、好適な例示的実施形態にかかるホルダーは、この種の天井標識のない状態で図示されている。
【００２０】
図１に示す好適な例示的実施形態によれば、アダプタ部５の第２端部７は、コッターピン１０を用いてホルダー１の基部２の底部に固定される。
【００２１】
電気端子要素１１は、アダプタ部５の端部６、７の間で使用される。この電気端子要素１１は、基部２の底部に面する側で電気ケーブル１２に接続されている。電気ケーブル１２の反対側の端部は電圧供給源（不図示）に接続されている。好適な例示的実施形態によれば、電気ケーブル１２は、ストラップやクランプなどのケーブルホルダー１３を用いて、基部２に取り付けられる。
【００２２】
プラグ連結部１４は、電気端子要素１１を介して天井標識（不図示）を上記電圧供給源に電気的に接続するために、電気端子要素１１の基部２とは反対側に配される。
【００２３】
図２は、図１に示す例示的実施形態にかかるホルダー１を上から見た上面図を示す。
【００２４】
図２に示すように、２つのホルダー要素４ｃ、４ｄは、基本的に互いに平行にかつホルダー１の長手方向に伸びる。２つのホルダー要素４ａ、４ｂは、互いに反対方向にかつ基本的にホルダー１の横方向かつ基本的にホルダー要素４ｃ、４ｄに垂直に伸びる。すでに述べたように、例えばこれらのホルダー要素４ａ〜４ｄのそれぞれは、１つの天井要素を受けて支えるよう構成されている。
【００２５】
図２に示すように、ホルダー１をキャリア（不図示）に取り付ける２つの取付要素３は、基本的にホルダー要素４ｃおよび４ｄに平行に伸びる。
【００２６】
言うまでもなく、ホルダー要素４ａ〜４ｄおよび／または取付要素３の配列および／または方向は、任意であってよく、また対応する用途に合わせる必要がある。また、当然ながら、４つを超えるまたは４つ未満の天井要素が１つ以上のホルダーに取り付けられてもよい。
【００２７】
図３は、好適な例示的実施形態にかかる、折り畳み状態にあるはめ込まれたホルダー１の部分断面図を示す。
【００２８】
図３に示す折り畳み状態において、アダプタ部５は、アダプタ部５の第１端部６のみでヒンジ８を介して基部２に支持される。図３は天井要素１５も示しており、図３に示すようにアダプタ部５が折り畳み状態にあるときに、ホルダー１を取り外すことなく天井要素１５の１つを下方に引っ張って天井構造から取り除くことができる。
【００２９】
図４は、好適な例示的実施形態にかかる、天井標識１６を有するはめ込まれたホルダー１の部分図を示す。図４において、天井標識１６は、例えば、既知の方法で好適な例示的実施形態にかかるホルダー１に押し込まれて取り付けられる出口標識である。天井標識１６は、図１〜図３に示すように、特にアダプタ部５の受入要素９ａ、９ｂに押し込まれ、通常の方法で取り付けられる。
【００３０】
図５は、好適な例示的実施形態にかかる、図４の天井標識を有するホルダー１の側面から見た部分図を示す。図５においても、折り畳まれていない状態のホルダー１が示されている。折り畳み状態では、アダプタ部５は出口標識１６とともに下向きに折り畳まれる。したがって、天井要素１５は下方に引っ張って取り除くことができる。
【００３１】
好適な例示的実施形態を参照して本発明を詳細に説明したが、本発明にかかるホルダー１は、ホルダー全体および電気端子を取り外すことを必要とすることなく折り畳み状態において天井要素を取り除くことができるようにホルダー１に取り付けられた天井標識の折り畳みが可能である限りにおいて、特定の状態および利用分野に合わせるために変更されてもよいことは言うまでもない。
【００３２】
また、好適な例示的実施形態を、航空機の天井構造を参照して説明した。しかしながら、本発明にかかるホルダーは、上述と同じ目的に基づくその他の利用分野、例えば建築物の内部においても用いることができる。
【図面の簡単な説明】
【００３３】
【図１】本発明の好適な例示的実施形態にかかる支持装置の下方から見た斜視図である。
【図２】図１の支持装置の上面図である。
【図３】本発明の好適な例示的実施形態にかかる、はめ込まれた支持装置の部分断面図である。
【図４】好適な例示的実施形態にかかる、はめ込まれた支持装置が天井標識を有する状態を後方から見た部分図である。
【図５】好適な例示的実施形態にかかる、図４の天井標識を有するはめ込まれた支持装置を側面から見た部分図である。
【符号の説明】
【００３４】
１    ホルダー
２    基部
３    取付要素
４ａ〜４ｄ    ホルダー要素
５    アダプタ部
６    第１端部
７    第２端部
８    ヒンジ要素
９ａ、９ｂ    受入要素
１０    コッターピン
１１    電気端子要素
１２    電気ケーブル
１３    ケーブルホルダー
１４    プラグ連結部
１５    天井要素
１６    天井標識（出口標識）
【図１】
2008513271.tif 000003
【図２】
2008513271.tif 000004
【図３】
2008513271.tif 000005
【図４】
2008513271.tif 000006
【図５】
2008513271.tif 000007
【国際調査報告】
2008513271.tif 000008
2008513271.tif 000009
2008513271.tif 000010